(57)【要約】      （修正有）【課題】子供の足の発育具合に対応して使用でき、履き口と踵の締付けを簡単確実にして靴内部で足を安定させる子供用靴を提供する。【解決手段】履き口押え用のベルト４を長尺とし、該ベルトの取り付け起点Ａを踵部２の近くにすると共に、反対側の踵部近くに設けた支持ベルトの先端に折り返し用のベルトリングを取り付け、該リングを通してベルトを反転させて甲履き口Ｄの前部を押え込み、面ファスナーにてベルトの固定位置を任意に調整し、且つ、踵部の内側に半月形状の補強部材１２を固着し、該補強部材を踵後方は固く、踵両脇部分１１を柔らかく形成した。該補強部材はエチレン酢酸ビニルコポリマーと熱可塑性ポリウレタン及びポリエステルの合成素材より構成される。また、先端に折り返し用のベルトリングを取り付けた支持ベルトを直交状に通して抑え安定化させるベルト通しを靴本体１の内側面に設けた。【選択図】図１
0003233468.tif 000002
【実用新案登録請求の範囲】
【請求項１】
長尺の履き口押え用ベルトの先端部に設けた面ファスナーでベルトの固定位置を任意に調整できる靴であって、該ベルトの取り付け起点を踵部近くにすると共に、反対側の踵部近くに設けた支持ベルトの先端が甲履き口の上側面にあたる位置に折り返し用のベルトリングを取り付け、該支持ベルトを靴の内側面に両端縁を縫着したベルト通しに直交状に挿通し、該ベルトリングを通して長尺の履き口押えベルトを反転させて甲履き口の前部を押え込むとともに、踵部の内側に半月形状の補強部材を固着し、該補強部材はエチレン酢酸ビニルコポリマーと熱可塑性ポリウレタン及びポリエステルの合成素材よりなり、踵後部のみ同素材にて二重に接着して踵後方は固く、踵両脇部分を柔らかく形成した子供用靴。
【考案の詳細な説明】
【技術分野】
【０００１】
本考案は、面ファスナー付きベルトの取り付け起点と、折り返し部となるリングを取り付けた支持ベルトの起点を踵部に近い位置にした長尺なベルトとすると共に、踵部内部の補強材に強弱の部分を設けることにより長尺なベルトの締付けにより、履き口と踵の締付けを確実とし靴内部で足を安定させることが容易な子供用靴に関する。
【背景技術】
【０００２】
近年、幼児、子供の足の骨格の欧米化が進行するなど、足の骨格に多様性が見られるようになった。それに伴い、足の骨格の形状と靴の形状が合わないことによって、成長期の足の様々な問題が発生している。そこで、子供の個々の足の形状に合わせた靴を選択し履かせることが最善であるが、最適なものを選択する難しさと、またそのような靴は比較的高価になりがちで、成長期の子供の足のサイズの変化を考えると経済的でないこともあり、積極的に取り組みにくい。
【０００３】
通常の子供用靴の場合、履き易さから甲前面部分に取り付けられた面ファスナー付きベルトにより着脱がなされ足が固定される。例えば特許文献１の幼児靴では甲前面部のみが圧迫され、靴内部の踵はしっかりとサポートされない。又、この方法では足の骨格が靴の規格よりも細かったり、靴と足が合っていない場合、靴の中で踵が動いてしまう。即ち、靴の中で足が動いてしまう欠陥がある。特に、前滑りすることでつま先に負担がかかり、子供の足の健康問題が発生する。
【０００４】
また、特許文献２のように子供の足の奇形、変形の矯正のために、甲締めベルトと踵を固定するベルトと足首を固定する締めベルトを設けたものがあるが、あくまで足の変形の矯正用であり、実用性に欠けると共に、構成が複雑で子供が容易に着脱できるものではない。さらに、特許文献３の靴は運動用靴で長尺なベルトと側面の柔軟部分の締付けで踵を固定するものである。
【先行技術文献】
【特許文献】
【０００５】
【特許文献１】特開２００５−１１８４７０号公報
【特許文献２】特開２００１−１４９１０５号公報
【特許文献３】特許第５９１２３９２号公報
【考案の概要】
【考案が解決しようとする課題】
【０００６】
前記したように、幼児や子供の時期の足の発育はその後の成人になってからの足の健康に大きく関わりがあり、成人の足の健康問題の多くは、幼児・子供の時期に発生した問題に起因している。幼児・子供の時期には足の骨格がまだ完全に固まっておらず、故に靴の中での痛みや違和感に対し、感じにくく放置されがちになる。これが放置されることによって足に様々な健康問題を発生させることになり、それが成人してからの足の深刻な問題につながると言われている。
【０００７】
本考案はこのような課題を考慮してなされたものであり、履き口押え用のベルトを長尺とし、該ベルトの取り付け起点を踵部近くにすると共に、反対側の踵部近くに設けた支持ベルトの先端に折り返し用のリングを取り付け、該リングを通して前記ベルトを反転させて折り返して甲履き口を押え込み、面ファスナーにてベルトの固定位置を任意に調整する。且つ、上記のベルトの調節により踵部分が前倒しになることで履き口後方に違和感がでないよう、踵部の内側に半月形状の補強部材を固着し、該補強部材をして硬度に強弱を設けることにより、個々の様々な形状の足に対応することができる。よって、個々の足の形状に合った靴を探す手間を省き、大きさの不一致によって生じる靴の中での踵、即ち足の移動やブレを押え、特に足の前滑りによって発生するつま先部の変形、障害などを予防する効果が期待できる。
【課題を解決するための手段】
【０００８】
上記目的を達成するため、本考案の子供用靴は、長尺の履き口押え用ベルトの先端部に設けた面ファスナーでベルトの固定位置を任意に調整できる靴であって、該ベルトの取り付け起点を踵部近くにすると共に、反対側の踵部近くに設けた支持ベルトの先端が甲履き口の上側面にあたる位置に折り返し用のベルトリングを取り付け、該支持ベルトを靴の内側面に両端縁を縫着したベルト通しに直交状に挿通し、該ベルトリングを通して長尺の履き口押えベルトを反転させて甲履き口の前部を押え込むとともに、踵部の内側に半月形状の補強部材を固着し、該補強部材はエチレン酢酸ビニルコポリマーと熱可塑性ポリウレタン及びポリエステルの合成素材よりなり、踵後部のみ同素材にて二重に接着して踵後方は固く、踵両脇部分を柔らかく形成したことを特徴とする。
【考案の効果】
【０００９】
本考案によれば、個々の足の形状に合った靴を探す手間を省き、大きさの不一致によって生じる靴の中での踵、即ち足の移動やブレを押え、特に足の前滑りによって発生するつま先部の変形、障害などを予防する効果が期待できる。しかも構成が簡単であるため、足のサイズに合わせた高単価な子供用靴に比べ、比較的に一般的な価格での提供が可能となる。
【図面の簡単な説明】
【００１０】
【図１】本考案の実施例を示す右足の子供用靴の斜視図である。
【図２】同右足の内側の子供用靴の斜視図である。
【図３】同右足の子供用靴の履き口ベルトを外した状態の説明図である。
【図４】同右足の内側の子供用靴の履き口ベルトを外した状態の説明図である。
【図５】同踵部に挿入される補強部材の説明図である。
【図６】同甲履き口ベルトの折り返し点のベルトリングとベルト通しの拡大図である。
【考案を実施するための形態】
【００１１】
以下、本考案を図示する実施形態により具体的に説明する。図１乃至図４は、本考案の一実施形態の子供用靴を示す斜視図で、靴本体１の踵部２の踵外側補強部３に履き口押えベルト４の起点部Ａを固着し、甲履き口Ｄを押えて反対側の折り返し部Ｃとなるベルトリング５を通して折り返された前記ベルト４を、起点部Ａ側に反転するように配設する。
【００１２】
ベルトリング５は反対側の踵部２の近く、即ち、踵外側補強部３´を起点部Ｂとして固定された支持ベルト６の先端に取り付けられており、甲履き口Ｄの上側面に位置するように配設されている。該ベルトリング５は細長矩形状に形成され、該ベルトリング５の下側の直線部５ａに、踵外側補強部３´に固定された支持ベルト６が折り返して挿通され、ベルトリング５の上側の直線部５ｂにて履き口押えベルト４は起点部Ａ側に折り返される。
【００１３】
７は前記支持ベルト６を挿通して外側から押え込むベルト通しであり、履き口押えベルト４を図４の矢印方向に引っ張ったときに該ベルト４と支持ベルト６の位置が甲前面又は甲後方にぶれないようにしている。ベルト通し７は支持ベルト６に対し直交するように靴本体１の内側面８に両端が固着されている。
【００１４】
更に、履き口押えベルト４は、図３に示すようにベルト４の先端部の下面４ａに面ファスナー９が固着され、対応する面ファスナー１０が甲履き口Ｄの上部に当たる位置のベルト４の上面４ｂに固着されている。
【００１５】
１２は靴本体１の踵部２に内装される補強部材で、踵形状に対応した半月形状を呈し、踵の後部に当接する部分１２ａの硬度を固く、踵の左右両脇１１、１１´に当接する部分１２ｂの硬度を柔らかくした。具体的には、半月形状の補強部材１２はエチレン酢酸ビニルコポリマー（ＥＶＡ）と熱可塑性ポリウレタン（ＴＰＵ）及びポリエステルの合成素材であり、厚みは１．２ｍｍ厚の材料で構成され、踵の後部に当接する部分１１ａは同材料を重ねて接着して硬度を加えている。これにより、ベルト４を引っ張り、甲履き口Ｄを絞り込む調整時に硬度を固くした踵の後部に当接する部分１２ａにて踵部２が前に倒れるのを防ぎ、踵の両脇部１１、１１´に当接する部分１２ｂが足を包み込むように絞り込まれてフィットする。こうして踵は踵部２にしっかり固定される。
【００１６】
次に、本考案の使用方法を説明する。
靴本体１の甲履き口Ｄに足を入れ、側面の履き口押えベルト４を、ベルトリング５を通して折り返し、ベルトの起点部Ａ側に向けて引き絞ることで足の甲部は甲履き口Ｄに固定される。履き口押えベルト４を引き絞ったとき、支持ベルト６の位置がベルト通し７に直交状に配置されており、ぶれないよう規制されているため、該ベルト４の引っ張る力が確実に起点部Ａ、Ｂに伝わり、踵が確実に固定される。
【００１７】
このとき、履き口押えベルト４の引き絞りにより踵部２は靴本体１の前方向に引かれる動きをするが、踵部２内に装着されている補強部材１２にてその動きは規制される。即ち、補強部材１２は踵の後部に当接する部分１２ａの硬度を固くしているので踵部が前に倒れるのを防ぎ、踵の両側に当接する部分１２ｂの硬度を柔らかく形成しているため踵の両脇部に当接する部分１２ｂが足を包み込むように絞られる。これにより、踵のぶれを押え、靴内部で足を安定させ、足の前滑りを押えることができる。
【００１８】
ベルト折り返し部Ｃとなるベルトリング５は踵部２近くを起点部Ｂとする支持ベルト６の先端に取り付けられ、靴本体１に対してはフリーな状態であるため、履き口押えベルト４を引き絞ると甲履き口Ｄの前部をきつく絞り込むことができる。これはベルトリング５が甲履き口Ｄの上側部に位置するため履き口の絞り込みがより強固にできることによる。
【００１９】
また、履き口押えベルト４を緩めたときにベルトリング５を先端に取り付けた支持ベルト６が靴の内側に倒れ込み、もう一方の足で踏み付けないように支持ベルト６はベルト通し７に直交状に挿通されて押え込まれている。
【符号の説明】
【００２０】
１    靴本体
２    踵部
３、３´    踵補強部
４    履き口押えベルト
５    ベルトリング
６    支持ベルト
７    ベルト通し
８    靴の内側面
１２    補強部材
【図１】
0003233468.tif 000003
【図２】
0003233468.tif 000004
【図３】
0003233468.tif 000005
【図４】
0003233468.tif 000006
【図５】
0003233468.tif 000007
【図６】
0003233468.tif 000008